(57)【特許請求の範囲】
【請求項１】
情報源から供給される情報を符号化する情報源符号化部と、
上記情報源符号化部から供給される符号化情報を所定の形式に多重化する多重化部と、
上記多重化部から供給される多重化情報を伝送路に適するように符号化して送出情報を出力する伝送路符号化部と、
を有し、デジタル放送における情報の送出を行う情報送出システムにおいて、
上記情報源符号化部、上記多重化部または上記伝送路符号化部において、それぞれ上記符号化情報、上記多重化情報または上記送出情報のいずれかに対して識別情報を付与する識別情報付与部と、
上記送出情報を受信部で受信情報として受信し、送受間の送出情報と受信情報で上記識別情報付与部において付与された識別情報を比較することにより送出情報の欠落の有無を監視する送出情報監視部と、を備え、
上記送出情報監視部は、
上記送出情報に付される識別情報を検出する第１の識別情報検出部と、
上記受信情報に付される識別情報を検出する第２の識別情報検出部と、
上記第１の識別情報検出部が検出した上記識別情報を、上記第２の識別情報検出部が上記受信情報を受信するまでの遅延時間差分だけ遅延させる遅延部と、
上記遅延部から供給される上記識別情報及び上記第２の識別情報検出部から供給される上記識別情報を比較した比較結果より、上記送出情報の欠落の有無を判断する識別情報比較部と、を備える
情報送出システム。
【請求項２】
請求項１記載の情報送出システムにおいて、
上記識別情報付与部により付与される識別情報は上記情報の送出フォーマット上で規定されている情報であり、
上記送出情報監視部は上記情報の送出フォーマット上の識別情報を送受間の送出情報と受信情報で比較する情報送出システム。
【請求項３】
請求項１又は２記載の情報送出システムにおいて、
上記識別情報は上記情報の送出フォーマット上のパケット毎に付与される情報送出システム。
【請求項４】
デジタル放送における送出情報に対して識別情報を付与する識別情報付与ステップと、
上記送出情報に付される識別情報を第１の識別情報検出部が検出するステップと、
上記送出情報を受信部で受信情報として受信するステップと、
上記受信情報に付される識別情報を第２の識別情報検出部が検出するステップと、
上記第１の識別情報検出部が検出した上記識別情報を、上記第２の識別情報検出部が上記受信情報を受信するまでの遅延時間差分だけ遅延させるステップと、
上記遅延された上記識別情報及び上記第２の識別情報検出部から供給される上記識別情報を比較した比較結果より、上記送出情報の欠落の有無を判別するステップと、を有する
情報比較方法。
【請求項５】
デジタル放送における送出情報に対して識別情報を付与する識別情報付与部と、
上記送出情報を受信部で受信情報として受信し、送受間の送出情報と受信情報で上記識別情報付与部において付与された識別情報を比較することにより送出情報の欠落の有無を監視する送出情報監視部と、を備え、
上記送出情報監視部は、
上記送出情報に付される識別情報を検出する第１の識別情報検出部と、
上記受信情報に付される識別情報を検出する第２の識別情報検出部と、
上記第１の識別情報検出部が検出した上記識別情報を、上記第２の識別情報検出部が上記受信情報を受信するまでの遅延時間差分だけ遅延させる遅延部と、
上記遅延部から供給される上記識別情報及び上記第２の識別情報検出部から供給される上記識別情報を比較した比較結果より、上記送出情報の欠落の有無を判断する識別情報比較部と、を備える
情報比較装置。
【発明の詳細な説明】
【０００１】
【発明の属する技術分野】
本発明は、例えば、デジタル放送システムにおける情報の送出に適用されるものである。
【０００２】
【従来の技術】
従来、放送側から送出される番組を伝送路を介して視聴者が受信する放送システムがあった。このような放送システムにおいて、放送局側で所定の番組が確実に送出されたか否かを監視する放送監視業務が行われていた。このような放送監視業務においては、放送監視担当者がモニタ上で番組の内容の映像や音声を直接目視および傾聴することにより確認するようにしていた。
【０００３】
【発明が解決しようとする課題】
しかし、上述した従来の放送システムにおける放送監視業務では、放送監視担当者が、例えば、２４時間放送に対応して、放送内容が正しいこと、および障害が発生していないことを同時に確認しながら、問題発生時には迅速な対応を要求されるため、システムを２重に構成しておいて非常時には他方に切り換えたりすることにより、送出情報の品質の向上が望まれる一方で、放送監視担当者は肉体的、および精神的な負担が大きく、この業界では放送監視業務の自動化が望まれるが実現されていないという不都合があった。
【０００４】
本発明は以上の点を考慮してなされたもので、送出情報の品質の向上を図ると同時に放送監視業務の軽減を図ることができる情報送出システムを提案しようとするものである。
【０００５】
【課題を解決するための手段】
かかる課題を解決するため本発明は、以下のような手段により構成され、このような本発明によれば以下の作用をする。
【０００６】
本発明の情報送出システムは、デジタル放送における情報の送出を行う情報送出システムにおいて適用される。
情報送出システムは、情報源から供給される情報を符号化する情報源符号化部と、上記情報源符号化部から供給される符号化情報を所定の形式に多重化する多重化部と、上記多重化部から供給される多重化情報を伝送路に適するように符号化して送出情報を出力する伝送路符号化部とを有して構成される。
【０００７】
特に、情報源符号化部、多重化部または伝送路符号化部において、それぞれ符号化情報、多重化情報または送出情報のいずれかに対して識別情報を付与する識別情報付与部と、送出情報を受信部で受信情報として受信し、送受間の送出情報と受信情報で識別情報付与部において付与された識別情報を比較することにより送出情報の欠落の有無を監視する送出情報監視部とを備え、送出情報に付される識別情報を検出する第１の識別情報検出部と、受信情報に付される識別情報を検出する第２の識別情報検出部と、第１の識別情報検出部が検出した識別情報を、第２の識別情報検出部が受信情報を受信するまでの遅延時間差分だけ遅延させる遅延部と、遅延部から供給される識別情報及び第２の識別情報検出部から供給される識別情報を比較した比較結果より、送出情報の欠落の有無を判断する識別情報比較部と、を備える。
また、デジタル放送における送出情報に対して識別情報を付与する識別情報付与ステップと、送出情報を受信部で受信情報として受信するステップと、送出情報に付される識別情報を第１の識別情報検出部が検出するステップと、受信情報に付される識別情報を第２の識別情報検出部が検出するステップと、第１の識別情報検出部が検出した識別情報を、第２の識別情報検出部が受信情報を受信するまでの遅延時間差分だけ遅延させるステップと、遅延された識別情報及び第２の識別情報検出部から供給される識別情報を比較した比較結果より、送出情報の欠落の有無を判別するステップと、を有する。
【０００８】
これにより、識別情報付与部において、情報源から情報源符号化部における符号化、多重化部における多重化または伝送路符号化部における符号化および送出までのいずれかの動作において符号化情報、多重化情報または送出情報のいずれかに対して識別情報が付与される。
【０００９】
また、送出情報監視部において、送受間の送出情報と受信情報とで識別情報のみを比較することにより、両者の識別情報が一致すれば送出情報の欠落はないと判断され、両者の識別情報が一致しなければ送出情報の欠落があると判断される。
【００１０】
【発明の実施の形態】
以下、適宜図面を参照しながら本発明の実施の形態を詳述する。本実施の形態の情報送出システムは、地上デジタル放送やデジタルＣＡＴＶ（ケーブルテレビジョン）など、広くデジタル放送システム全般において採用されるＭＰＥＧ２−ＴＳ（Ｔｒａｎｓｐｏｒｔ  Ｓｔｒｅａｍ）Ｆｏｒｍａｔにおいて、ＴＳ内の各パケットを識別するＰＩＤ（Ｐａｃｋｅｔ  ＩＤ）を、送出側と受信側で比較することにより、送出が確実に行われたという送出監視の確認処理を自動化するものである。
【００１１】
以下に、本実施の形態の情報送出システムにおける送出自動監視システムについて説明する。
図１は、本発明の実施の形態の送出自動監視システムの構成を示すブロック図である。図１は主に送信側システムのパケット監視に関する部分を中心に示してある。なお、実際のシステムでは、図１において、送信側システム中のスクランブラ６の後段に図示しない誤り訂正符号化部や変調器その他伝送に関する装置があるが、ここでは省略して説明する。
【００１２】
まず、本実施の形態の放送システムの送信側システムの構成を説明する。本実施の形態の放送システムの送信側システムは、各ソース１−１〜１−４から供給される映像信号や音声信号の合成などを行うマスタースイッチャー２−１〜２−４と、マスタースイッチャー２−１〜２−４から供給される映像信号や音声信号の出力を切り換える出力ルーター３−１〜３−２と、出力ルーター３−１〜３−２で切り換えられた映像信号や音声信号をディジタル化して圧縮処理するエンコーダ４−１〜４−４と、複数のエンコーダ出力や複数の制御情報を時分割多重するマルチプレクサ５と、図示しないスクランブル鍵によりディジタル信号にスクランブルを施すスクランブラ６とを有して構成される。
【００１３】
なお、各ソース１−１〜１−４、マスタースイッチャー２−１〜２−４、出力ルーター３−１〜３−２およびエンコーダ４−１〜４−４は、それぞれ標準画像ＳＤ１〜ＳＤ３に対応するものと、高精細画像ＨＤに対応するものとが設けられている。
【００１４】
また、本実施の形態の放送システムの送出自動監視システムは、特に、複数のエンコーダ出力、マルチプレクサ出力またはスクランブラ出力のいずれかに対して、ＭＰＥＧ２−ＴＳフォーマットにおいて、ＴＳ内の各パケットを識別するＰＩＤを付与するＰＩＤ付与部３９を有している。
【００１５】
また、本実施の形態の放送システムの送出自動監視システムは、各ソース１−１〜１−４から供給される映像信号や音声信号を監視部の各経路に分配する分配器１０と、マスタースイッチャー２−１〜２−４から供給される映像信号や音声信号を監視部の各経路に分配する分配器１１と、出力ルーター３−１〜３−２で切り換えられた映像信号や音声信号を監視部の各経路に分配する分配器１２と、エンコーダ４−１〜４−４からの複数のエンコーダ出力を監視部の各経路に分配する分配器１３と、マルチプレクサ５の出力を監視部の各経路に分配してデコードする分配器１４およびデコーダ１７と、スクランブラ６の出力を監視部の各経路に分配してデコードする分配器１５およびデコーダ１８と、伝送路７を介して受信された受信信号を監視部の各経路に分配して受信処理する分配器１６および受信機１９とを有して構成される。
【００１６】
また、本実施の形態の放送システムの送出自動監視システムは、分配器１０により分配された各ソース１−１〜１−４から供給される映像信号や音声信号を表示・再生するスイッチャ入力モニタ２１−１〜２１−４と、分配器１１により分配されたマスタースイッチャー２−１〜２−４から供給される映像信号や音声信号を表示・再生するスイッチャ出力モニタ２２−１〜２２−４と、分配器１２により分配された出力ルーター３−１〜３−２で切り換えられた映像信号や音声信号を表示・再生するエンコーダ入力モニタ２３−１〜２３−４と、分配器１３により分配された複数のエンコーダ出力を表示・再生するエンコーダ出力モニタ２４−１〜２４−４と、分配器１４により分配されデコーダ１７によりデコードされたマルチプレクサ５の出力を表示・再生するマルチプレクサ出力モニタ２５−１〜２５−４と、分配器１５により分配されデコーダ１８によりデコードされたスクランブラ６の出力を表示・再生するスクランブラ出力モニタ２６−１〜２６−４と、分配器１６により分配され受信機１９により受信処理された受信信号を表示・再生する受信モニタ２７−１〜２７−３と、分配器１６により分配され受信機２８により受信処理された電子番組ガイドを表示・再生するＥＰＧ（Ｅｌｅｃｔｒｏｎｉｃ  Ｐｒｏｇｒａｍ  Ｇｕｉｄｅ）モニタ２７−４とを有する。なお、受信機１９，２８には、スクランブルを解くための個別の鍵が格納されたＩＣカードが挿入されている。
【００１７】
これらのスイッチャ入力モニタ２１−１〜２１−４と、スイッチャ出力モニタ２２−１〜２２−４と、エンコーダ入力モニタ２３−１〜２３−４と、エンコーダ出力モニタ２４−１〜２４−４と、マルチプレクサ出力モニタ２５−１〜２５−４と、スクランブラ出力モニタ２６−１〜２６−４と、受信モニタ２７−１〜２７−３と、ＥＰＧモニタ２７−４とで各情報を一覧して一目で監視できるウオールモニタ２０を構成している。
【００１８】
なお、スイッチャー入力モニタ２１−１〜２１−４、スイッチャー出力モニタ２２−１〜２２−４、エンコーダ入力モニタ２３−１〜２３−４、エンコーダ出力モニタ２４−１〜２４−４、マルチプレクサ出力モニタ２５−１〜２５−４およびスクランブラ出力モニタ２６−１〜２６−４は、それぞれ標準画像ＳＤ１〜ＳＤ３に対応するものと、高精細画像ＨＤに対応するものとが設けられている。
【００１９】
また、本実施の形態の放送システムの送出自動監視システムは、分配器１０により分配された各ソース１−１〜１−４から供給される映像信号や音声信号、分配器１１により分配されたマスタースイッチャー２−１〜２−４から供給されるマスタースイッチャー出力、分配器１２により分配された出力ルーター３−１〜３−２で切り換えられたルーター出力、分配器１３により分配されたエンコーダ４−１〜４−４からの複数のエンコーダ出力、分配器１４により分配されデコーダ１７によりデコードされたマルチプレクサ５の出力、分配器１５により分配されデコーダ１８によりデコードされたスクランブラ６の出力を切り換えるモニタルーター２９と、モニタルーター２９により切り換えられた各出力の映像信号や音声信号を表示・再生するＳＤ１監視卓モニタ３１と、ＳＤ２監視卓モニタ３２と、ＳＤ３監視卓モニタ３３と、ＨＤ監視卓モニタ３４とを有する。
【００２０】
ここで、ＳＤ１監視卓モニタ３１と、ＳＤ２監視卓モニタ３２と、ＳＤ３監視卓モニタ３３と、ＨＤ監視卓モニタ３４とでコンソールモニタ３０を構成している。また、ウオールモニタ２０とコンソールモニタ３０とで映像信号や音声信号の監視部を構成している。
【００２１】
また、本実施の形態の放送システムの送出自動監視システムは、特に、ＰＩＤ付与部３９によりＰＩＤが付与された、複数のエンコーダ４−１〜４−４からのエンコーダ出力、マルチプレクサ５の出力、スクランブラ６の出力および受信機１９により受信処理された受信信号のパケットを取り込み、監視および解析するパケット監視部３５を有している。
【００２２】
また、本実施の形態の放送システムの送出自動監視システムは、各機器ステータス、ハードウエアアラーム情報およびその他タリー等を監視する制御情報監視部３６と、パケット監視部３５および制御情報監視部３６からの異常発生時にウオールモニタ２０およびコンソールモニタ３０にアラームを表示・発音するタリーアラームシステム３７とを有する。
【００２３】
以下に、このように構成された本実施の形態の情報送出システムにおける送出自動監視システムの動作を説明する。
【００２４】
まず、本実施の形態の放送システムの送信側システムの動作を説明する。本実施の形態の放送システムの送信側システムにおいては、マスタースイッチャー２−１〜２−４は各ソース１−１〜１−４から供給される映像信号や音声信号の合成などを行う。出力ルーター３−１〜３−２はマスタースイッチャー２−１〜２−４から供給される映像信号や音声信号の出力を切り換える。エンコーダ４−１〜４−４は出力ルーター３−１〜３−２で切り換えられた映像信号や音声信号をディジタル化して圧縮処理する。マルチプレクサ５は複数のエンコーダ出力や複数の制御情報を時分割多重する。スクランブラ６は図示しないスクランブル鍵によりディジタル信号にスクランブルを施す。
【００２５】
なお、各ソース１−１〜１−４、マスタースイッチャー２−１〜２−４、出力ルーター３−１〜３−２およびエンコーダ４−１〜４−４は、それぞれ標準画像ＳＤ１〜ＳＤ３に対応するものと、高精細画像ＨＤに対応するものがそれぞれの動作をする。
【００２６】
また、本実施の形態の放送システムの送出自動監視システムにおいては、分配器１０は各ソース１−１〜１−４から供給される映像信号や音声信号を監視部の各経路に分配する。分配器１１はマスタースイッチャー２−１〜２−４から供給される映像信号や音声信号を監視部の各経路に分配する。分配器１２は出力ルーター３−１〜３−２で切り換えられた映像信号や音声信号を監視部の各経路に分配する。分配器１３は複数のエンコーダ４−１〜４−４からのエンコーダ出力を監視部の各経路に分配する。分配器１４およびデコーダ１７はマルチプレクサ５の出力を監視部の各経路に分配してデコードする。分配器１５およびデコーダ１８はスクランブラ６の出力を監視部の各経路に分配してデコードする。分配器１６および受信機１９は伝送路７を介して受信された受信信号を監視部の各経路に分配してスクランブルを解いて受信処理する。
【００２７】
また、本実施の形態の放送システムの送出自動監視システムにおいては、スイッチャ入力モニタ２１−１〜２１−４は分配器１０により分配された各ソース１−１〜１−４から供給される映像信号や音声信号を表示・再生する。スイッチャ出力モニタ２２−１〜２２−４は分配器１１により分配されたマスタースイッチャー２−１〜２−４から供給される映像信号や音声信号を表示・再生する。エンコード入力モニタ２３−１〜２３−４は分配器１２により分配された出力ルーター３−１〜３−２で切り換えられた映像信号や音声信号を表示・再生する。エンコード出力モニタ２４−１〜２４−４は分配器１３により分配された複数のエンコーダ４−１〜４−４からのエンコーダ出力を表示・再生する。マルチプレクサ出力モニタ２５−１〜２５−４は分配器１４により分配されデコーダ１７によりデコードされたマルチプレクサ５の出力を表示・再生する。スクランブラ出力モニタ２６−１〜２６−４は分配器１５により分配されデコーダ１８によりデコードされたスクランブラ６の出力を表示・再生する。受信モニタ２７−１〜２７−３は分配器１６により分配され受信機１９によりスクランブルを解いて受信処理された受信信号を表示・再生する。ＥＰＧモニタ２７−４は分配器に１６より分配され受信機２８によりスクランブルを解いて受信処理された電子番組ガイドを表示・再生する。
【００２８】
なお、スイッチャー入力モニタ２１−１〜２１−４、スイッチャー出力モニタ２２−１〜２２−４、エンコーダ入力モニタ２３−１〜２３−４、エンコーダ出力モニタ２４−１〜２４−４、マルチプレクサ出力モニタ２５−１〜２５−４およびスクランブラ出力モニタ２６−１〜２６−４は、それぞれ標準画像ＳＤ１〜ＳＤ３に対応するものと、高精細画像ＨＤに対応するもののそれぞれが動作をする。
【００２９】
また、本実施の形態の放送システムの送出自動監視システムにおいては、モニタルーター２９は分配器１０により分配された各ソース１−１〜１−４から供給される映像信号や音声信号、分配器１１により分配されたマスタースイッチャー２−１〜２−４で切り換えられた映像信号や音声信号、分配器１２により分配された出力ルーター３−１〜３−２で切り換えられた映像信号や音声信号、分配器１３により分配された複数のエンコーダ４−１〜４−４からのエンコーダ出力、分配器１４により分配されデコーダ１７によりデコードされたマルチプレクサ５の出力、分配器１５により分配されデコーダ１８によりデコードされたスクランブラ６の出力を切り換えて出力する。ＳＤ１監視卓モニタ３１、ＳＤ２監視卓モニタ３２、ＳＤ３監視卓モニタ３３およびＨＤ監視卓モニタ３４はモニタルーター２９により切り換えられたＳＤ１，ＳＤ２，ＳＤ３，ＨＤのそれぞれの映像信号や音声信号を表示・再生する。
【００３０】
また、本実施の形態の放送システムの送出自動監視システムにおいては、特にパケット監視部３５は複数のエンコーダ出力、マルチプレクサの出力、スクランブラの出力および受信機１９によりスクランブルを解いて受信処理された受信信号のパケットを取り込み、監視および解析する。制御情報監視部３６は各機器ステータス、ハードウエアアラーム情報およびその他タリー等を監視する。タリーアラームシステム３７はパケット監視部３５および制御情報監視部３６からの異常発生時にウオールモニタ２０およびコンソールモニタ３０にアラームを表示・発音する。
【００３１】
図２は本実施の形態のパケット監視部の構成を示すブロック図である。
図２において、パケット監視部３５は、送信システムからの送信信号Ｓ１のパケットにおけるＰＩＤを検出するＰＩＤ検出装置４０と、受信信号Ｓ３からのパケットにおけるＰＩＤを検出するＰＩＤ検出装置４２と、送信システムからのパケットにおけるＰＩＤ検出信号Ｓ２を送信信号Ｓ１と受信信号Ｓ３との伝送による遅延時間差分に相当する所定期間だけ遅延させるディレイ回路４１と、送信システムからの送信信号Ｓ１のパケットにおけるＰＩＤ検出信号Ｓ２の遅延信号と受信信号Ｓ３からのパケットにおけるＰＩＤ検出信号Ｓ４との比較を行うＰＩＤ比較装置４３とを有して構成される。
【００３２】
このように構成されたパケット監視部は、以下のような動作をする。
ＰＩＤ検出装置４０は送信システムからの送信信号Ｓ１のパケットにおけるＰＩＤ値Ｓ２を検出する。また、ＰＩＤ検出装置４２は受信信号Ｓ３からのパケットにおけるＰＩＤ値Ｓ４を検出する。また、ディレイ回路４１は送信システムからの送信信号Ｓ１のパケットにおけるＰＩＤ検出信号Ｓ２を送信信号Ｓ１と受信信号Ｓ３との遅延時間差分に相当する所定期間だけ遅延させる。そこで、ＰＩＤ比較装置４３は送信システムからの送信信号Ｓ１のパケットにおけるＰＩＤ検出信号Ｓ２の遅延信号と受信信号Ｓ３からのパケットにおけるＰＩＤ検出信号Ｓ４との比較を行う。なお、ディレイ回路４１はシステム上必須ではなく、例えば時間差を許容する運用を行う場合には省略可能である。
【００３３】
ここで、ＰＩＤ検出装置４０、４２は、ＭＰＥＧ−２  ＴＳ内のＰＩＤ値Ｓ２，Ｓ４を検出する。ＰＩＤは、ＭＰＥＧ−２  ＴＳフォーマット上で必ず付与されることが決められている値であり、各放送局においてユニークな値、例えばチャンネル番号を、番組の変わり目に番組毎にまたはパケット毎に付与されるものである。このＰＩＤ値の付与は、上述した図１に示したエンコーダ４−１〜４−４、マルチプレクサ５またはスクランブラ６のいずれかにおいて生成されたパケットに付与される。
【００３４】
このようにして、マルチプレクサ入出力、スクランブラ出力のＰＩＤ単位の送出量に対するパケット監視を行うようにしている。これにより、ＭＰＥＧ−２／ＤＶＢフォーマットに対するバイオレーションの自動検出を行うことができる。
【００３５】
また、パケットの取り込み、解析を行うことにより、異常発生時のアラームを発する箇所を特定することができる。例えば、エンコーダ４−１〜４−４、マルチプレクサ５またはスクランブラ６のいずれかで異常が発生していることを解析することができる。
【００３６】
また、図１に示したスイッチャー入力モニタ２１−１〜２１−４、エンコーダ出力モニタ２４−１〜２４−４、マルチプレクサ出力モニタ２５−１〜２５−４およびスクランブラ出力モニタ２６−１〜２６−４により、ソース１−１〜１−４、マルチプレクサ５の入出力およびスクランブラ６の出力の各映像信号および音声信号のレベルや信号波形を監視することができる。
【００３７】
また、図１に示したスイッチャー出力モニタ２２−１〜２２−４およびエンコーダ入力モニタ２３−１〜２３−４によりマスタースイッチャー２−１〜２−４および出力ルーター３−１〜３−２で切り換えられた各映像信号や音声信号の切り換えられた出力状態を監視することができる。
【００３８】
また、制御情報監視部３６により制御情報を監視することにより、各装置の異常を検出してタリーエラームシステム３７により示されるアラームを発生する箇所の制御を停止させ、またはメンテナンスを行うように指示を出すことができる。
【００３９】
上述した本実施の形態の図１に示した情報送出システムは、デジタル放送における情報の送出を行う情報送出システムにおいて適用されるものであり、情報送出システムは、情報源から供給される情報を符号化する情報源符号化部としてのエンコーダ４−１〜４−４と、情報源符号化部から供給される符号化情報を所定の形式に多重化する多重化部としてのマルチプレクサ５と、多重化部から供給される多重化情報を伝送路に適するように符号化して送出情報を出力する伝送路符号化部としてのスクランブラ６とを有して構成される。
【００４０】
特に、情報源符号化部としてのエンコーダ４−１〜４−４、多重化部としてのマルチプレクサ５または伝送路符号化部としてのスクランブラ６において、それぞれ符号化情報、多重化情報または送出情報のいずれかに対して識別情報ＰＩＤを付与する識別情報付与部としてのＰＩＤ付与部３９と、送出情報を受信部で受信情報として受信し、送受間の送出情報と受信情報で識別情報付与部としてのＰＩＤ付与部３９において付与された識別情報ＰＩＤを比較することにより送出情報の欠落の有無を監視する送出情報監視部としてのパケット監視部３５とを備えている。
【００４１】
これにより、識別情報付与部としてのＰＩＤ付与部３９において、情報源から情報源符号化部における符号化、多重化部における多重化または伝送路符号化部における符号化および送出までのいずれかの動作において符号化情報、多重化情報または送出情報のいずれかに対して識別情報ＰＩＤを付与することにより、送出段階で各データに送出システムから送出されたことを示す送出システム固有の識別情報ＰＩＤを付与して放送監視業務の自動化を図ることができる。
【００４２】
また、送出情報監視部としてのパケット監視部３５において、送受間の送出情報と受信情報とで識別情報ＰＩＤのみを比較することにより、両者の識別情報ＰＩＤが一致すれば送出情報の欠落はないと判断し、両者の識別情報ＰＩＤが一致しなければ送出情報の欠落があると判断することにより、テレビやラジオの放送に適用した場合、放送監視業務の自動化を図ると共に送出情報の品質の向上を図ることができる。
【００４３】
また、本実施の形態の情報送出システムは、上述において、識別情報付与部としてのＰＩＤ付与部３９により付与される識別情報ＰＩＤは情報の送出フォーマット上のＭＰＥＧ−２  ＴＳフォーマットで規定されている情報であり、送出情報監視部としてのパケット監視部３５は情報の送出フォーマット上の識別情報ＰＩＤを送受間の送出情報と受信情報で比較するので、情報の送出フォーマット上で入れる場所のみが規定されている送出システム固有の識別情報ＰＩＤを用いて簡単な構成で放送監視業務の自動化を図ることができる。
【００４４】
また、本実施の形態の情報送出システムは、上述において、識別情報は情報の送出フォーマット上のＭＰＥＧ−２  ＴＳフォーマットにおけるパケット毎に付与されるので、情報の送出単位または番組の変わり目毎に識別情報を監視することにより、送出システムおよび送出フォーマットに適した放送監視業務の自動化を図ることができる。
【００４５】
また、本実施の形態の情報比較方法は、デジタル放送における送出情報と受信情報の比較を行う情報比較方法において、上記送出情報に対して識別情報を付与する識別情報付与ステップと、送出情報を受信部で受信情報として受信し、送受間の送出情報と受信情報で識別情報付与ステップにおいて付与された識別情報を比較する識別情報比較ステップとを備え、識別情報の比較により送出情報の欠落の有無を判別する。
【００４６】
これにより、識別情報付与ステップにおいて、情報源から符号化、多重化または送出までのいずれかの動作においていずれかの送出情報に対して識別情報を付与することにより、送出段階で各データに送出システムから送出されたことを示す送出システム固有の識別情報を付与して放送監視業務の自動化を図ることができる。
【００４７】
また、識別情報比較ステップにおいて、送受間の送出情報と受信情報とで識別情報のみを比較することにより、両者の識別情報が一致すれば送出情報の欠落はないと判断し、両者の識別情報が一致しなければ送出情報の欠落があると判断することにより、テレビやラジオの放送に適用した場合、放送監視業務の自動化を図ると共に送出情報の品質の向上を図ることができる。
【００４８】
また、本実施の形態の情報比較装置は、デジタル放送における送出情報と受信情報の比較を行う情報比較装置において、送出情報に対して識別情報を付与する識別情報付与部としてのＰＩＤ付与部３９と、送出情報を受信部で受信情報として受信し、送受間の送出情報と受信情報で識別情報付与部において付与された識別情報を比較する識別情報比較部としてのパケット監視部３５とを備え、識別情報の比較により送出情報の欠落の有無を判別する。
【００４９】
これにより、識別情報付与部としてのＰＩＤ付与部３９において、情報源から符号化、多重化または送出までのいずれかの動作においていずれかの送出情報に対して識別情報を付与することにより、送出段階で各データに送出システムから送出されたことを示す送出システム固有の識別情報を付与して簡易な構成で放送監視業務の自動化を可能とする情報比較装置を提供することができる。
【００５０】
また、識別情報比較部としてのパケット監視部３５において、送受間の送出情報と受信情報とで識別情報のみを比較することにより、両者の識別情報が一致すれば送出情報の欠落はないと判断し、両者の識別情報が一致しなければ送出情報の欠落があると判断することにより、テレビやラジオの放送に適用した場合、簡易な構成で放送監視業務の自動化を図ると共に送出情報の品質の向上を可能とする情報比較装置を提供することができる。
【００５１】
なお、上述した本実施の形態においては送出情報の識別情報としてＰＩＤを用いる例のみを示したが、これに限らず、放送システム毎に不変のものであれば、他のデータや、ビット列に設けられたフラグ等でもよく、例えば、ＭＰＥＧ−２ＴＳフォーマットにおけるＴＳＩＤ（Ｔｒａｎｓｐｏｒｔ  Ｓｔｒｅａｍ  ＩＤ）を用いても良い。
【００５２】
【発明の効果】
本発明によれば、識別情報付与部において、情報源から情報源符号化部における符号化、多重化部における多重化または伝送路符号化部における符号化および送出までのいずれかの動作において符号化情報、多重化情報または送出情報のいずれかに対して識別情報を付与することにより、送出段階で各データに送出システムから送出されたことを示す送出システム固有の識別情報を付与して放送監視業務の自動化を図ることができるという効果を奏する。
【００５５】
また、送出情報監視部において、送受間の送出情報と受信情報とで識別情報のみを比較することにより、両者の識別情報が一致すれば送出情報の欠落はないと判断し、両者の識別情報が一致しなければ送出情報の欠落があると判断することにより、テレビやラジオの放送に適用した場合、放送監視業務の自動化を図ると共に送出情報の品質の向上を図ることができるという効果を奏する。
【００５６】
また、本発明の情報送出システムは、上述において、上記識別情報付与部により付与される識別情報は上記情報の送出フォーマット上で規定されている情報であり、上記送出情報監視部は上記情報の送出フォーマット上の識別情報を送受間の送出情報と受信情報で比較するので、情報の送出フォーマット上で入れる場所のみが規定されている送出システム固有の識別情報を用いて簡単な構成で放送監視業務の自動化を図ることができるという効果を奏する。
【００５７】
また、本発明の情報送出システムは、上述において、上記識別情報は上記情報の送出フォーマット上のパケット毎に付与されるので、情報の送出単位または番組の変わり目毎に識別情報を監視することにより、送出システムおよび送出フォーマットに適した放送監視業務の自動化を図ることができるという効果を奏する。
【００５９】
また、識別情報付与ステップにおいて、情報源から符号化、多重化または送出までのいずれかの動作においていずれかの送出情報に対して識別情報を付与することにより、送出段階で各データに送出システムから送出されたことを示す送出システム固有の識別情報を付与して放送監視業務の自動化を図ることができるという効果を奏する。
【００６０】
また、識別情報比較ステップにおいて、送受間の送出情報と受信情報とで識別情報のみを比較することにより、両者の識別情報が一致すれば送出情報の欠落はないと判断し、両者の識別情報が一致しなければ送出情報の欠落があると判断することにより、テレビやラジオの放送に適用した場合、放送監視業務の自動化を図ると共に送出情報の品質の向上を図ることができるという効果を奏する。
【図面の簡単な説明】
【図１】本発明の実施の形態の送出自動監視システムの構成を示すブロック図である。
【図２】本発明の実施の形態のパケット監視部の構成を示すブロック図である。
【符号の説明】
１−１〜１−４……ソース、２−１〜２−４……マスタースイッチャー、３−１〜３−２……出力ルーター、４−１〜４−４……エンコーダ、５……マルチプレクサ、６……スクランブラ、７……伝送路、１０〜１６……分配器、１７〜１８……デコーダ、１９……受信機、２０……ウオールモニタ、２１−１〜２１−４……スイッチャー入力モニタ、２２−１〜２２−４……スイッチャー出力モニタ、２３−１〜２３−４……エンコーダ入力モニタ、２４−１〜２４−４……エンコーダ出力モニタ、２５−１〜２５−４……マルチプレクサ出力モニタ、２６−１〜２６−４……スクランブラ出力モニタ、２７−１〜２７−３……受信モニタ、２７−４……ＥＰＧモニタ、２８……受信機、２９……モニタルーター、３０……コンソールモニタ、３１……ＳＤ１監視卓モニタ、３２……ＳＤ２監視卓モニタ、３３……ＳＤ３監視卓モニタ、３４……ＨＤ監視卓モニタ、３５……パケット監視部、３６……制御情報監視部、３７……タリーアラームシステム、３８……リモコン、３９……ＰＩＤ付与部、４０……ＰＩＤ検出装置、４１……ディレイ回路、４２……ＰＩＤ検出装置、４３……ＰＩＤ比較装置、Ｓ１……送信信号、Ｓ２……ＰＩＤ値、Ｓ３……受信信号、Ｓ４……ＰＩＤ値、Ｓ５……ＰＩＤ比較結果出力
【図１】
0004244448.tif 000002
【図２】
0004244448.tif 000003